(57)【要約】【課題】  サイクリング運動具と犬の走行ベルト運動具を連携して脚力強化の向上を共有することができる形態とした運動具するために、電動式ローラーを外し人力でサイクルペダルを回転することで犬の走行ベルトを回転する機能に変えたことで軽量化と低価額化の製品が可能となった。【解決手段】  長方形のフレームに回転可能に配置した２本のローラーに掛け渡したエンドレスベルトの一方のローラーにホイールを装着し、室内サイクリング運道具のペダル軸に装着されたホイールとの間をチェーン等で連結し、サイクルペダルをこぐことで犬走行用ベルトを回転させる無動力式の人・犬が共有する機能の脚力強化室内運道具。【選択図】図２
0003133420.tif 000002
【実用新案登録請求の範囲】
【請求項１】
走行用回転ベルト上を走行させる犬の胴帯上辺部に連結されたリード紐を折畳式脚立に支持された梁に掛け合わせ犬の歩行範囲を拘束し、本体フレームのサイドプレートをベルト面より上方に延長してベルト側面からの脱落を防ぐ構成の犬走行用回転ベルト運動具。
【請求項２】
方形状フレームの前後に回転可能に配置した２本のローラーに掛け渡したエンドレスベルトによって構成される犬走行用走行ベルトの先端部ローラーの端末にホイールを装着し、室内サイクリング運動具のペダル軸に装着したホイールとの間をチェーン等で連結一体化し、自転車をこぐことで犬走行用ベルトが回転する人・犬共有の運動具。
【考案の詳細な説明】
【技術分野】
【０００１】  室内サイクリング運動具及び犬走行用ベルト回転運動具はそれぞれが独自の形態と使用方法が取られている、しかしながら、目的は共に脚力強化を図るための運動具である。この形態の違う二つの運動具を連携して自転車こぎにより犬用走行ベルトを回転させる動力を人力に変えることで人・犬のコミニケーションが高まり、運動することがより楽しくなる運動具として挫折することなく長続きできる人・犬共有の運動具。
【技術の背景】
【０００２】  近年、ペットブームによる犬の飼育が増加している反面、運動不足による肥満及び病気も増加しているのが現状である。犬は本質的に原野を走り回る生態であり食事だけでなく適宜な運動も必要なのである、本考案は屋外を自転車で散歩させる気分を室内で満足させる運道具として、犬・人が共有し楽しめる形態の運動具を提供するものである。
【考案の開示】
【考案が解決しようとする課題】
【０００３】  本考案は、犬と飼主が共有する運動具を同次元で操作することにより人・犬が運動に関心を持って挫折せず長続きする方法の一環として、現在市販されているサイクリング運動具と犬の走行用回転ベルト運動具が脚力強化の同一目的として連携することで、一つの形態及び機能を有する運動具となって運動効率が高まると考えた。【０００４】  犬の走行運動量も人間のサイクリング運動量も一日に４〜５分間を２〜３回程度行うことで十分とされる、この程度の時間なら犬走行用回転ローラーを電動にする必要は無く、寧ろその時間を飼主がサイクリング運動を行うことで愛犬の健康を維持して自身の運動にもなる、そのためには両者を組み合わせて共有する目的の機能を持った運動具とすればよい。
【考案を解決するための手段】
【０００５】  考案を解決するためには、犬走行用回転ベルト上に犬を拘束し電動ボタンでベルトを回転走行させれば、犬は簡単にベルと上を走ってくれるほど単純ではない、犬はベルト上に拘束された時点で違和感や恐怖感を持ち、しかも突然に電動スイッチによりベルト作動を行えばパニックに近い状態となり、その後は運動具に対して拒絶反応を起こす例が多いのである。
【０００６】  本考案の運動具は、犬の本能に適応するために電動によってベルトを走行させる方法を止めて、連携したサイクリング運動具のサイクルペダルを回すことで犬の走行ベルトが回転する仕組みとした。具体的には、サイクリング運動具のペダル軸にホイールを装着し犬の回転ベルト用ローラーの端末にホイールを装着してホイール間をチェーン又はＶベルト等で連結し自転車のペダルをこぐと犬の走行ベルトが回転する方法である。
【０００７】  前記、走行ベルトに犬を馴らさせるためにベルト回転を手回しに変えることでベルト走行の作動が微妙に調整でき犬の安心感が得られる、特に、犬の走行訓練は初期の走行ベルトの作動によって大きく影響を与えるため犬に不安感を与えない状態を作ることが大切である、そのために初期の訓練が重要であり走行訓練中は常に犬に声を掛け犬と人とのコミニケーションを取りながら運動を続けることである。
【０００８】  ベルト走行に馴れてきたら次の段階として、ベルト回転を手回からサイクルペダルの脚こぎに移る、前記、犬の運動量は種類や大きさにもよるが走行時間は大体、小型・中型犬の場合で一回の走行時間が４〜５分間程度を一日に２回行えば十分とされている、人の自転車こぎも同様に一日に４〜５分間を２回程度行えば十分とされる、また、サイクルのペダルの重さは無断階に調整可能とし大人から子供まで自在に操れる機能を持たせることが必要である。このように、人も犬も一日の運動量は共通するものであり、この程度の運動時間であるならば家庭用としては敢えて、電動ローターの必要は無い。
【考案の効果】
【０００９】  自転車で犬と散歩する気分を、自転車走行と犬の走行運動を共有する機能を室内で行うことができる運動具として、従来のサイクリング運動具と犬の走行運動具とを連携することで可能とした、こうして人・犬が対面して運動する感触が犬にとっても、飼主にとっても楽しくし運動形態と感じたときに，初めて運動具の楽しさが解り飽きず長続きすることができる。また、機能的には犬走行ベルトの回転を電動から人力の自転車こぎに変えたことで運動具の軽量化と低コスト化の実現が可能となる。
【考案を実施するための最良の形態】
【００１０】  サイクリング運動具は犬の走行運動具とは形態が異なるが目的はどちらも脚力を強化する健康器具なのである、そこで、この二つの運動具を一つの共有した形態として機能を簡素化することにより、運動器具の軽量化とコストダウンを図ることができ、その上、電気コードも必要なくなるので取り扱いも簡単となり分解・組立てが容易であり梱包輸送も簡易化されることからキッド商品とすれば、更に、従来の商品と比較して極端な低価額商品が実現する。
【実施例】
【００１１】  図−１（Ａ）は、サイクリング運動具１と犬の走行ベルト運動具２を連結し犬が走行ベルトに馴れるまでペダル３を手回しで行っているイメージ図である。図−１（Ｂ）は、手回し走行が馴れてきたらサイクリング運動具１のペダル３を脚こぎに変えて犬の走行ベルトを回転するしているイメージ図である。【００１２】  図−２（Ａ）は、サイクリング運動具１とベルト走行運動具２を連結し犬の胴帯にリード紐８を結び折畳式脚立９に支持された支持捧１０に掛け合わせ固定するまた、ベルト走行運動具２の本体フレームのサイドプレート１１上端部をベルト面の上方に延長し走行中の犬がベルトから足を踏み外すことの無いようにした側面イメージ図である。
図−２（Ｂ）は、（Ａ）図のベルト走行運動具２の正面図である。
【産業上の利用可能性】
【００１３】  ペットブームの盛り上がりで犬の飼育も増加している反面、屋外での運動環境が厳しく散歩も思うようにならないのが現状である、そこで、屋外散歩に変わる運動として室内用運動具が考案され市販されているが、十分に普及するまでには至っていない、その要因として、前記、運動具が犬に受け入れられない機能であることが挙げられる。本考案の運動具はサイクリング運動具と犬の走行ベルト運動具とを連結することで人及び犬が共有する運動と楽しみを満足させる形態の運動具とした。
【図面の簡単な説明】
【００１４】
【図１】（Ａ）サイクリング運道具のサドルとハンドルを外しペダルを手回しすることで犬の走行ベルトを回転する模式図（Ｂ）手回し回転から自転車こぎに換えて走行ベルトを回転させる模式図
【図２】（Ａ）自転車のペダルをこぎ犬の走行運動を試みる組立側面図（Ｂ）走行運動具を使用している犬の正面図
【符号の説明】
【００１５】  １  サイクリング運道具
２  犬の走行運道具
３  ペダル
４  ホイール
５  回転ローラー
６  ローラー部装着ホイール
７  チェーン
８  リード紐
９  折畳式脚立
１０  支持捧
１１  サイドプレート
【図１】
0003133420.tif 000003
【図２】
0003133420.tif 000004